(57)【要約】【課題】沢状部における落石等が支柱に衝突することを極力防止して衝撃力により該支柱が損傷または転倒することをなくし、ポケットの機能を維持するとともに１スパンの広い支柱間隔で沢状部上に落石防護ネットを構築することを目的とする。【解決手段】上部間に固定された上部掛け横ロープ４と吊りロープ７により斜面２に支持固定された左右一対の支柱３と、一端が上部掛け横ロープ４に固定された縦主ロープ８と、左右両端部がアンカー６により斜面に支持固定された横主ロープ９と、縦主ロープ８及び横主ロープ９上に敷設された金網１５と、左右両端部が斜面に支持固定された荷重支持用横ロープ１０と、中間部が縦主ロープ８に交叉して固定された荷重支持用横主ロープ１１とを備え、該荷重支持用横ロープ１０から垂下したハンガーロープ１３を用いて荷重支持用横主ロープ１１を吊支固定した落石防護ネット構造及びその工法を基本手段としている。【選択図】図１
2005350886.tif 000002
【特許請求の範囲】
【請求項１】
上部間に固定された上部掛け横ロープと吊りロープにより斜面に支持固定された左右一対の支柱と、一端が上部掛け横ロープに固定された縦主ロープと、左右両端部がアンカーにより斜面に支持固定された横主ロープと、縦主ロープ及び横主ロープ上に敷設された金網と、左右両端部が斜面に支持固定された荷重支持用横ロープと、中間部が縦主ロープに交叉して固定された荷重支持用横主ロープとを備え、該荷重支持用横ロープから垂下したハンガーロープを用いて荷重支持用横主ロープを吊支固定したことを特徴とする落石防護ネット構造。
【請求項２】
沢状部の両側に位置する斜面に上下方向に傾動可能に立設され、上部間に固定された上部掛け横ロープ及び支柱サイドロープにより斜面に支持固定された左右一対の支柱と、一端が支柱の上部に固定された吊りロープの他端部が上方の斜面にアンカーを用いて支持固定され、一端が支柱の上部又は上部掛け横ロープに固定された縦主ロープと、左右両端部がアンカーにより斜面に支持固定された横主ロープと、縦主ロープ及び横主ロープ上に敷設された金網と、左右両端部がアンカーにより斜面に支持固定された荷重支持用横ロープと、両端部がアンカーにより斜面に支持固定され、中間部が縦主ロープに交叉して固定された荷重支持用横主ロープとを備え、該荷重支持用横ロープから垂下したハンガーロープを用いて荷重支持用横主ロープを吊支固定したことを落石防護ネット構造。
【請求項３】
沢状部を挟んで支柱間の間隔を１２〜３０メートルとした請求項１又は２に記載の落石防護ネット構造。
【請求項４】
左右一対の支柱の上部間に上部掛け横ロープを固定するとともに吊りロープにより各支柱を斜面に支持固定し、一端が上部掛け横ロープに固定された縦主ロープと左右両端部が斜面に支持固定された横主ロープを設けて上記縦主ロープと横主ロープ上に金網を敷設し、左右両端部が斜面に支持固定された荷重支持用横ロープと中間部が縦主ロープに交叉して固定された荷重支持用横主ロープとを設けるとともに該荷重支持用横ロープから垂下したハンガーロープを用いて荷重支持用横主ロープを吊支固定したことを特徴とする落石防護ネット工法。
【請求項５】
沢状部の両側に位置する斜面に傾動可能に立設された左右一対の支柱の上部間に上部掛け横ロープを固定するとともに支柱サイドロープと吊りロープにより各支柱を斜面に支持固定し、一端が支柱の上部又は上部掛け横ロープに固定された縦主ロープと左右両端部がアンカーにより斜面に支持固定された横主ロープを設けて上記縦主ロープと横主ロープ上に金網を敷設し、左右両端部がアンカーにより斜面に支持固定された荷重支持用横ロープと両端部がアンカーにより斜面に支持固定され中間部が十字グリップを用いて縦主ロープに交叉して固定された荷重支持用横主ロープとを設けるとともに該荷重支持用横ロープから垂下したハンガーロープを用いて荷重支持用横主ロープを吊支固定したことを特徴とする落石防護ネット工法。
【発明の詳細な説明】
【技術分野】
【０００１】
本発明は落石防護ネット構造及びその工法に関し、特には道路等に近接して落石の恐れがある沢状部等に構築して好適な落石防護ネット構造に関するものである。
【背景技術】
【０００２】
従来から斜面の表層土砂が雨等の自然現象によって流出したり、落石や雪崩等によって斜面が崩壊することを防止するため、種々の斜面安定工法が採用されている。特に道路等に近接して落石の恐れがある沢状部に吊りロープ等により防護ネットや防護柵等を取付け、落石や雪崩を受け止めて防護する手段が一般に用いられている。
【０００３】
従来の落石防護ネットは覆い式とポケット式とに大別される。覆い式の落石防護ネットは、広い面積の金網に多数の縦ロープと複数の横ロープを相互間隔をおいて組み込み、各縦ロープと横ロープの端部を斜面にアンカーして、このロープ付き金網を斜面になじむように敷設することによって、浮石等を支持して跳石や落石を防止する構造である。ポケット式の落石防護ネットは、沢状部の両側に３メートル〜４メートルの間隔毎に多数のポケット形成用の支柱を上下方向傾動可能に建て込み、各支柱の上部にそれぞれ縦ロープを連結して垂下し、両端がアンカーにより支持された複数の横ロープを斜面に一定の上下間隔で配置して、この縦横ロープに金網を張設して防護網とし、吊りロープで緩衝して支持された支柱で防護網の上部を支柱の高さに吊持して、各支柱によりロープ付き金網をカーテン状に垂設し、ロープ付き金網の全幅に開口されたポケット部を形成し、落石等を収納することにより落石エネルギーを緩衝して吸収する構造になっている。
【０００４】
上記に関して特許文献１には、金網に多数の縦・横補強ロープとともに左・右縦ロープと上端部横ロープ及び複数の下半部横ロープを組み込み補強して、沢状部等の両側斜面に設けたアンカーに左右の支柱をヒンジ連結して沢状部等の上下方向の傾動を可能に建て込み、両側斜面にアンカーした吊ロープ及びサイドロープの端部を各支柱の上部に連結して支保し、左・右縦ロープの上端部を各支柱の上部に連結するとともに、両側斜面に両端部をアンカーした上端部横ロープを各支柱の上部でスライド可能に支持し、各下半部横ロープの各両端部を両側斜面にアンカーして、金網の上半部分を落石エネルギーを緩衝して吸収するポケット部に構成し、金網の下半部分を沢状部等の地上に敷設して落石等を受け止める敷設部に構成して構築するようにした落石防護ネットの工法が記載されている。
【特許文献１】特許第２９１６６３３号
【発明の開示】
【発明が解決しようとする課題】
【０００５】
しかしながら、従来から用いられているポケット式の落石防護ネットは、落石等の恐れがある沢状部の両側にポケット形成用の支柱を３メートル〜４メートルという短い間隔で建て込んでいるため、落石等が支柱に衝突して衝撃力により該支柱が損傷または転倒してしまい、落石等が道路上へ落下してしまうことがあるという課題がある。特に支柱の機械的強度が不足している場合には、落石等の衝撃力によって支柱の基礎部が崩壊することがあり、支柱の倒壊によってカーテン状に垂設したロープ付き金網も崩壊するため、落石等を収納するポケットの機能は完全に失われてしまうことになる。
【０００６】
前記特許文献１に記載された落石防護ネットの工法は、斜面に両端部をアンカーした上端部横ロープを各支柱の上部でスライド可能に支持しているため、大きな落石等の衝撃力を上端部横ロープで支えることができず、金網及び縦・横補強ロープや左・右縦ロープの崩壊とともに落石防護ネット自体の機械的強度が不足して落石等が道路上へ落下してしまうという問題がある。
【０００７】
そこで本発明は、沢状部の両側に広い間隙で支柱を建て込むことによって落石等が支柱に衝突することを極力防止して衝撃力により該支柱が損傷または転倒することをなくし、ポケットの機能を維持するとともに１スパンの広い支柱間隔で沢状部上に落石防護ネットを構築することにより、施工性を高めて工期短縮をはかることができる落石防護ネット構造及びその工法を得ることを目的とするものである。
【課題を解決するための手段】
【０００８】
本発明は上記目的を達成するために、上部間に固定された上部掛け横ロープと吊りロープにより斜面に支持固定された左右一対の支柱と、一端が上部掛け横ロープに固定された縦主ロープと、左右両端部がアンカーにより斜面に支持固定された横主ロープと、縦主ロープ及び横主ロープ上に敷設された金網と、左右両端部が斜面に支持固定された荷重支持用横ロープと、中間部が縦主ロープに交叉して固定された荷重支持用横主ロープとを備え、該荷重支持用横ロープから垂下したハンガーロープを用いて荷重支持用横主ロープを吊支固定したことを特徴とする落石防護ネット構造及びその工法を基本手段としている。前記沢状部を挟んで支柱間の間隔は１２〜３０メートルとする。
【発明の効果】
【０００９】
本発明によって得られた落石防護ネット構造及びその工法によれば、落石等の恐れがある沢状部の両側にポケット形成用の支柱を１２〜３０メートルという長大な間隔で建て込んでも、荷重支持用横ロープから垂下したハンガーロープを用いて荷重支持用横主ロープを吊支固定したことにより、落石防護ネット自体の機械的強度を高めてカーテン状に垂設した縦主ロープ及び横主ロープの崩壊現象が発生しない。しかも支柱間の間隔が長いことによって落石等が支柱に衝突する惧れは極めて低くなり、それに伴う衝撃によって支柱が損傷または転倒することを防止して落石等が道路上へ落下するという問題を解消することができる。
【００１０】
従って本発明によれば、沢状部における落石エネルギーを落石防護ネットにより効果的に緩衝して吸収するとともに落石等を受け止めて支持する優れた強度と耐力を有し、沢状部の両側に広い間隙で支柱を建て込むことによって落石等が支柱に衝突することを極力防止し、衝撃力により該支柱が損傷または転倒することをなくして防護性能及び信頼性を著しく高めることができる。更に１スパンの広い支柱間隔で沢状部上に落石防護ネットを構築することによって施工性を高めて工期短縮をはかることができる。
【発明を実施するための最良の形態】
【００１１】
以下図面に基づいて本発明にかかる落石防護ネット構造及びその工法の最良の実施形態を説明する。図１は本発明を適用した落石防護ネット構造を示す斜視概要図、図２は同正面図であり、図中の１は例えば道路等に近接して落石の恐れがある沢状部、２，２は沢状部１の両側に位置する斜面であり、この斜面２に左右一対の支柱３，３が上下方向に傾動可能に立設されている。４は支柱３，３の上部間に固定された上部掛け横ロープ、５，５は支柱サイドロープであり、各支柱サイドロープ５，５はアンカー６により斜面２に支持固定されている。
【００１２】
左右一対の支柱３，３は落石防護ネットに落石を受け入れる開口されたポケット部を形成するのに必須の構成要素であり、本実施形態では従来の防護ネットと比較して支柱３，３間の間隔は広く取って建て込まれている。例えば本実施例では支柱３，３間の間隔は沢状部１を挟んで１２〜３０メートル程度の距離であり、支柱３，３間の間隔を広く取ることによって１スパンで沢状部１上に落石防護ネットを構築することができる。よって、支柱３，３を多数立設する必要はなく、一対の支柱のみで必要な落石防護ネットを構築することが可能となる。
【００１３】
７，７は支柱３の吊りロープであり、この吊りロープ７，７の一端は支柱３，３の上部に固定され、他端部は夫々上方の斜面２にアンカー６，６を用いて支持固定されている。８，８は縦主ロープ、９，９は横主ロープであり、縦主ロープ８，８の一端は支柱３，３の上部又は上部掛け横ロープ４に固定され、両端部に位置する縦主ロープ８，８の他端部はアンカー６により下方の斜面２に支持固定されている。両端部に位置する縦主ロープ８，８以外の縦主ロープ８の下端部は下方の斜面２に支持固定されておらず、フリーとなっており、最下方の横主ロープ９に連結されている。
【００１４】
横主ロープ９，９の左右両端部は夫々アンカー６，６により斜面２に支持固定されている。更に図２に示すように縦主ロープ８，８間には補強のために縦補助ロープ８ａを配設してもよい。なお、縦補助ロープ８ａとしては縦主ロープ８よりも耐荷重の小さいロープを使用できる。そして、これらの横主ロープ９，９と縦主ロープ８，８上に金網１５が適宜の手段で固定されて敷設されている。
【００１５】
吊りロープ７，７と横主ロープ９，９には落石等により大きな荷重がかかるので、両ロープは強度が大きくて柔軟なケーブルを用いて構成される。縦主ロープ８，８間の長さ間隔は３メートル、縦主ロープ８と縦補助ロープ８ａ間の長さ間隔は１．５メートルとし、横主ロープ９，９間の長さは５メートル程度にするのが適当である。また、落石等が集中しやすい個所の金網１５の線径を変えて強度を高めたり、落石等が金網１５の網目からこぼれるのを防止するため、部分的に金網１５の目合を小さくすることも可能である。
【００１６】
１０は荷重支持用横ロープであり、この荷重支持用横ロープ１０の左右両端部はアンカー６により斜面２に支持固定され、中途部が支柱３，３の上部に固定された状態に支持されている。１１は荷重支持用横主ロープであり、この荷重支持用横主ロープ１１の左右両端部はアンカー６により斜面２に支持固定され、中間部の縦主ロープ８，８との交差点の全部又は一部が十字グリップ１２，１２を用いて縦主ロープ８，８に交叉して固定されている。図１では両端部の縦主ロープ８，８との交差点を固定している例を示している。図３（Ａ）は荷重支持用横主ロープ１１と縦主ロープ８，８を固定している十字グリップ１２，１２を示す正面図、図３（Ｂ）は同平面図である。そして荷重支持用横ロープ１０と荷重支持用横主ロープ１１とが該荷重支持用横ロープ１０から垂下したハンガーロープ１３，１３を用いて固定されている。
【００１７】
図４は各ロープの配設状態を明示する側面図であり、この荷重支持用横ロープ１０を支柱３，３の上部に固定するとともに、荷重支持用横ロープ１０から垂下したハンガーロープ１３，１３で荷重支持用横主ロープ１１を固定して吊支することにより、強度を高めたことが本発明の特徴の一つである。
【００１８】
図５は支柱３のみ取り出して示す正面図、図６は同側面図であり、斜面２内に打ち込まれる基板２０にヒンジ２１を介在して角柱状の支柱本体２２が斜面２の傾斜方向に沿って上下方向に傾動自在に立設され、この支柱本体２２の上部に、平面視（図５に示す状態）において左右方向に張り出すように一対のブラケット２３，２３を設け、このブラケット２３，２３にはそれぞれＵボルト孔２４が穿孔され、このＵボルト孔２４にＵボルト２５を挿通して荷重支持用横ロープ１０を固定する。即ち荷重支持用横ロープ１０はアンカー６により左右両端部が斜面２に支持固定されるとともに、その中途部が図８に示すようにそれぞれの支柱３，３の上部のブラケット２３，２３にＵボルト２５，２５によって圧接されて締め付け固定されている。
【００１９】
図７は図５にＵボルト２５を装着した状態を示す平面図、図８，図９，図１０は、各ロープの連結状態を示す要部説明図であり、これらの同図に示すようにブラケット２３と同一面の支柱本体２２の上部に支柱サイドロープ５を固定するための支柱サイドロープ固定用ブラケット２６，２６がそれぞれ一対設けられている。これらのブラケット２６，２６にはそれぞれ支柱サイドロープ５を固定するための固定孔２６ａが穿設されており、支柱サイドロープ５の端部を環状に形成してブラケット２６間に挿通して固定ピン、シャックルその他の適宜手段を固定孔２６ａに挿通して固定する。
【００２０】
支柱本体２２の背面側の上部（図７の平面視における上方）には、吊りロープ７を固定するための一対のブラケット２７が設けられている。次に支柱本体２２の正面側の上部（図７の平面視における下方）には、縦主ロープ８を固定するための一対のブラケット２８が設けられている。更に、支柱本体２２の上端面には上部掛け横ロープ４を固定するための一対のブラケット２９が設けられている。そして、これらのブラケット２７，２８，２９にはそれぞれ吊りロープ７，縦主ロープ８，上部掛け横ロープ４を固定するための固定孔２７ａ，２８ａ，２９ａが穿設されており、吊りロープ７，縦主ロープ８，上部掛け横ロープ４の端部をそれぞれ環状に形成してブラケット２７，２８，２９間に挿通して固定ピン、シャックルその他の適宜手段を固定孔２７ａ，２８ａ，２９ａに挿通して固定する。
【００２１】
上記の構成によれば、荷重支持用横主ロープ１１を荷重支持用横ロープ１０からハンガーロープ１３，１３を使用して吊り橋の要領で吊支したことが特徴となっており、横主ロープ９，９にかかる荷重を支柱３，３に固定された上部掛け横ロープ４と荷重支持用横ロープ１０で受け止めてポケット部を形成する横主ロープ９，９の垂れ込みを防止するとともに、沢状部１を挟む支柱３，３間の間隙を広く取ることが可能となる。
【産業上の利用可能性】
【００２２】
以上詳細に説明したように、本発明によれば沢状部における落石エネルギーを効果的に緩衝して吸収するとともに落石等を受け止めて支持する優れた強度と耐力を有し、広い間隙で支柱を建て込むことによって落石等が支柱に衝突することをなくして衝撃力により支柱が損傷または転倒することがないので、防護性能及び信頼性を著しく高めることができる。従って沢状部のみならず、岩盤等の安定地盤が表土層で覆われて表土層の表面が傾斜している斜面における表土層の一部または全部が流出するのを未然に防止するための斜面安定工法にも利用することができる。
【図面の簡単な説明】
【００２３】
【図１】本発明を適用した落石防護ネット構造を示す斜視概要図。
【図２】図１の正面図。
【図３】（Ａ）は本発明で用いた荷重支持用横主ロープと縦主ロープを固定している十字グリップを示す正面図、（Ｂ）は同平面図。
【図４】本発明で用いた各ロープの配設状態を示す側面図。
【図５】本発明で用いた支柱のみ取り出して示す正面図。
【図６】図５の側面図。
【図７】図５にＵボルトを装置した状態を示す平面図。
【図８】ブラケットへの各ロープの連結状態を示す要部説明図。
【図９】ブラケットへの各ロープの連結状態を示す要部説明図。
【図１０】ブラケットへの各ロープの連結状態を示す要部説明図。
【符号の説明】
【００２４】
１…沢状部
２…斜面
３…支柱
４…上部掛け横ロープ
５…支柱サイドロープ
６…アンカー
７…吊りロープ
８…縦主ロープ
８ａ…縦補助ロープ
９…横主ロープ
１０…荷重支持用横ロープ
１１…荷重支持用横主ロープ
１２…十字グリップ
１３…ハンガーロープ
１５…金網
２０…基板
２１…ヒンジ
２２…支柱本体
２３，２６，２７，２９…ブラケット
【図１】
2005350886.tif 000003
【図２】
2005350886.tif 000004
【図３】
2005350886.tif 000005
【図４】
2005350886.tif 000006
【図５】
2005350886.tif 000007
【図６】
2005350886.tif 000008
【図７】
2005350886.tif 000009
【図８】
2005350886.tif 000010
【図９】
2005350886.tif 000011
【図１０】
2005350886.tif 000012